(57)【要約】【課題】特別な装置を設けず低価格で、片手にて、トイレットペーパーロール紙をつまみ、引き出し、切断可能なトイレットペーパホルダーの分離誘導式切断カバーを提供する。【解決手段】トイレットペーパホルダーにおいて、後方上部に変心軸を持つ可倒式カバーにロール紙を貫通させる穴を設け、その先端に２方向から切れる切断部を設けた、トイレットペーパホルダーの分離誘導式切断カバー。【選択図】    図１
2006141921.tif 000002
【特許請求の範囲】
【請求項１】
トイレットペーパーホルダーの後方やや上方向に変心した回転軸を持つ可倒式のトイレットペーパーホルダーカバー（１）に、ロール紙（７）を貫通させるための貫通穴（２）を設け、ロール紙（７）補給の際一度この貫通穴（２）にロール紙端末を下から上方向に通し誘導しておけば、以降何度使用しても紙端末部はロールから完全に分離し切断刃部（３）まで、カバーの上に紙を乗せた状態を形成している、このため極めてつまみ易く引き出し易い、これらを特徴とするトイレットペーパーホルダーにおける切断カバー。
【請求項２】
トイレットペーパーホルダーの、カバー（１）先端に切断刃部（３）を設け、請求事項１記載によるカバー（１）の上にある分離誘導状態のロール紙（７）を任意の長さ引き出し切断刃部（３）位置でほぼ直角にロール紙側に引くことで、紙自らがカバー（１）をロール紙（７）に押し付けロール紙（７）の回転を止める等紙の摩擦抵抗が増し、手でカバー（１）を押さえ込むことなく片手で紙を切断できる、これらを特徴とするトイレットペーパーホルダーにおける切断カバー。
【請求項３】
トイレットペーパーホルダーの本体（４）の後方やや上方向に変心した回転軸を持つ取付け部（５）を設けたことと、切断刃部（３）に上下双方から紙が切断できる刃を設けた為、紙切断方法は、請求事項１および、請求事項２による本発明の新しい方法と、ロール紙（７）を貫通穴（２）に通さない無誘導状態での方法で紙を切断する、好みにより何れかの方法を、使い分けできる特徴を持ったトイレットペーパーホルダーにおける切断カバー。
【発明の詳細な説明】
【発明の詳細な説明】
【技術分野】
【０００１】    この発明は、トイレットペーパーホルダーによるトイレットペーパーを容易に引き出し、容易に切ることを可能にした切断カバーに関するものである。
【背景技術】
【０００２】    従来のトイレットペーパーホルダーでロール紙を任意の長さで切ることは容易ではない、まず紙の切り口がホルダーカバー切断部に隠れ紙を引き出すことが困難である、このためロール紙を手で回転し少し出す、そして紙端末部がロールに密着している場合は剥がし、紙をつまみ使用したい長さまで引出し、カバーを押さえ切断刃部で引き切断する、この場合両手を使う必要があった、尚、最近の技術では紙送り装置や、カバー切断部にばね等を装着してロール紙に圧力を加え、手で押さえることなく片手にて引き切断することは可能になっている。
【発明が解決しようとする課題】
【０００３】    これには次のような欠点があった。
（イ）．特別に設けた装置なしでは、紙をいきなりつまみ引き出すことが出来ないため、まずロール紙を手で回転させ、紙のつまみ代分を送り出す必要があり、煩わしさがあった。
（ロ）．紙のつまみ代として送り出したロール紙の切り端が、ロールに密着している場合が多く、剥さなければならない煩わしさがあった。
（ハ）．身体障害者や高齢者、年少者等で手先がうまく利かない方には非常に困難である。
（ニ）．ロール紙の切断を片手にて可能とするものとして特別な装置を設け、例えばバネ等を装着し、カバー切断刃部をロール紙に押さえつけるもの等があるが、何れも構成部材が増加し、更には組立工程も増える為、製造原価高となっている。
（ホ）．トイレットペーパーメーカーの対応によって、ロール紙の切断を容易にできるよう、ロール紙にミシン目状の穴が一定間隔に入っているものが販売されているが、紙を引き出す時等、押さえつけ装置圧力の違い等により意図せず長さでミシン目から切れる等の煩わしさがあった。
本発明は、以上の欠点を解決するためになされたものである。
【課題を解決するための手段】
【０００４】    トイレットペーパーホルダーの後方上部に変心軸とした可倒式カバー（１）にロール紙（７）を貫通させる貫通穴（２）を設ける。そして、カバー（１）先端に切断刃部（３）を設ける。以上の構成からなるトイレットペーパーホルダー切断カバーである。
【発明を実施するための最良の形態】
【０００５】    以下、本発明の実施の形態について説明する。
（イ）．トイレットペーパーホルダー本体（４）及びロール紙保持部（６）の基本構造や材料などは従来の全てのものに適応できるのでその種類は問わない、従って構成等の説明は省略する。ただし、次に挙げる条件を備えたものである。後方にカバー取付け部（５）を設ける、その回転中心はカバー上面よりやや上方向に変心したものである。ロール紙保持部（６）は、ロール紙保持状態において、ロール紙が幅（巻き芯）方向で振れる量を少なくする構造であること、その振れ幅は０．３ｃｍ以内が望ましい。
（ロ）．トイレットペーパーホルダーのカバー（１）は硬質樹脂成形又は、木材、ステンレス等の鉄板を加工して作る。適度な紙の引き出し及び、紙切断時のロール紙（７）の回転を止める為に、必要によっては、ロール紙（７）が接するカバー（１）の裏面に摩擦を調整する為に表面処理をする等、又はカバー（１）の重さを変える等、配慮する。後方やや上部にトイレットペーパーホルダー本体（４）への取付け部（５）を設ける、又、取付け方式は従来からの方式である、勘合式や、ピン、ねじ等によるがその種類は問わない、カバー（１）は、ロール紙補給の際に、上後方にはね上げ自立状態が保持でき、ロール紙補給後はカバーを倒し、更にカバー自重によりロール紙の使用によって巻き径が変化するのに追従しロール紙（７）の巻き径上面に常に接する様な追従可倒式なものである。カバー取付け部（５）の位置は、未使用のロール紙（巻き径最大時）を補給した状態でカバー（１）がほぼ水平になるよう設定する。
（ハ）．カバー（１）にロール紙（７）が接する地点より少し前側約２ｃｍにロール紙（７）を貫通させる為の貫通穴（２）を設ける。貫通穴（２）の形状は、ロール紙幅方向がロール紙幅寸法（巻き芯長さ）に対し１ｃｍほど大きく設定する、紙引き出し方向の穴幅は紙を貫通させる為に必要な寸法とカバー（１）の材料や厚さ寸法などの違いから、紙の引き出し摩擦が違うのでこれらを考慮し決める、紙引き出し方向穴幅は実験の結果、１ｃｍから２ｃｍ位が適切である。
（ニ）．カバー（１）に設けた貫通穴（２）の前側にロール紙から分離した紙のつまみ代となる場所として約４０ｍｍを取り、切断刃部（３）を設ける。刃は下方向と上方向から切断可能な刃であればその種類は問わない。実験の結果では、鋸刃形に加工したものが双方とも切れやすく低価格であるので推奨する。
本発明は、以上のような構成よりなるトイレットペーパーホルダーにおける切断カバーである。【０００６】  本発明は以上のような構造でこれを使用するときは、トイレットペーパーのロール紙（７）を補給した際にロール紙端末部をカバー（１）の下側から貫通穴（２）に通しカバー部上に切断刃部（３）まで誘導する。そしてカバー上にある紙端末部をつまみ使用量引き出す。切り方は紙を切断刃部（３）にほぼ直角のロール紙側下面方向に引く。引かれた紙によりロール紙接面に圧力が掛かりロール紙の回転を止める働きが生じる、又、紙をほぼ直角下側に引く事により、紙の引き出し摩擦抵抗が増し紙は切断刃部（３）で切断される。このようにロール紙を補給し上記述のように紙端末部を誘導しておけば、片手操作で、ロール紙端末部をいきなり引き、任意の長さで切断する事が容易に出来る。【００７】  図１及び図２に示すようにトイレットペーパーホルダーの本体（４）の後方にカバー取付け部（５）を設ける、カバー取付け部の位置関係は、その回転中心がカバー上面よりやや上方向に変心したものである。又、新しいロール紙（７）を補給した状態でカバー（１）上面が、ほぼ水平状態になる様に設定する。カバー（１）に設けられた貫通穴（２）にロール紙（７）の端末部をロール紙側（下側）からカバー（１）上側に通しカバー端末の切断刃部（３）位置くらい引き出し誘導しておく、以降使用する時は、紙端末部は貫通穴（２）から切断刃部（３）までの間カバー上に置かれた状態に成っている為、そのまま片手でつまみ引き出すことが出来る。そして、切る場合もそのままロール紙方向（下側）に引けば容易に切断できる。図３はロール紙が減って巻き径が小さくなった状態におけるカバー（１）が追従しロール紙径の上部に接している状態である、この状態に於いても片手による紙端末部をつまみ、引き出し切断が容易に出来る。【０００８】第２実施の形態．  図４に示すように、本発明の構造でありながら、ロール紙端末を貫通穴（２）に通さない無誘導状態、すなわち、従来と同様な方法で切断する場合でも、切断刃部が約５ｃｍ離れている為、紙は一旦分離状態になるのでロール紙端末部は比較的つかみ易い、又、カバー取付け部（５）の回転中心がカバー上面よりやや上方向に変心している為、紙を切断刃部（３）でカバー部（１）上を約１８０度後方向（カバー取付け部方向）に引く事により、片手操作により切断可能である。更に従来と全く同様な使い方で切断することも出来る。【０００９】  第３実施の形態．  図５に示すように、貫通穴（２）形状は、紙の貫通誘導を容易にする為、穴後方中央部を円形状に切り抜いたもの等、本発明の機能を損なわない範囲において応用変化できる。さらに貫通穴（２）から切断刃部（３）の先、端末部まで紙の誘導用として突起を設けることにより紙端末部の引き出し安定性を向上できる。さらに切断刃部の安全対策として先端角部に身体にやさしい丸み状突起部等を設ける。
【発明の効果】
【００１０】  本発明は特別の装置等を設けず低価格でありながら、片手で極めて容易にトイレットペーパーをつまみ、引き出し、これを切断することが出来る。
さらに、本発明構造において、紙の通し方を変えることにより、従来とほぼ同様な方法でも切断できる。
従来品より使い易いため、身体障害者や高齢者、年少者等で手先がうまく利かない方でも使える。
又、本発明を使用することで、トイレットペーパーロール紙のミシン目状の穴も不要、むしろミシン目穴はない方が好ましい、従って、本発明品が普及し規格化された場合は、ロール紙製造工程のミシン目状穴加工工程の削減も可能でありトイレットペーパーロール紙の低価格化に貢献できる。
【図面の簡単な説明】
【図１】本発明の斜視図
【図２】本発明におけるロール紙径最大時の左側要部断面図
【図３】本発明におけるロール紙径最小時の左側要部断面図
【図４】本発明における従来使用方法の左側要部断面図
【図５】本発明における変化応用例の斜視図
【符号の説明】
１        カバー
２        貫通穴
３        切断刃部
４        ホルダー本体
５        カバー取付け部
６        ロール紙保持部
７        ロール紙
【図１】
2006141921.tif 000003
【図２】
2006141921.tif 000004
【図３】
2006141921.tif 000005
【図４】
2006141921.tif 000006
【図５】
2006141921.tif 000007